(57)【特許請求の範囲】
【請求項１】
ガスライターにおいて、
本体であって、中空体とされ、その内部に液体ガスが充填され、且つその上端にシール部が固着され、該シール部に頸部を有するノズルが設けられた、上記本体と、
上蓋であって、それに対応する該シール部の上方に嵌合され、該上蓋の中央に固定座が設けられ、その両側より二つの直立し相互に対向するやすり車保持部が延伸され、且つ該やすり車保持部の上端にそれぞれ固定孔が設けられ、該上蓋の固定座の両側それぞれに凹孔が設けられ、該凹孔がそれぞれ二つのやすり車保持部と該固定座の間に位置する、上記上蓋と、
やすり車であって、その円周に軸方向の歯が設けられて使用者による回転操作に供される、上記やすり車と、
キャップであって、該上蓋の外部に嵌合される、上記キャップと、
支柱型支点を具えたレバーであって、
ベースと、
支柱であって、該レバーの押圧部の底面両側それぞれに設けられて該凹孔に対応し、該支柱の底部が該凹孔内に嵌入して該レバーの支点Ｃとされる、上記支柱と、
嵌合孔であって、該シール部の該ノズルを通過させて該頸部と嵌合し、該レバーの抵抗力点Ｂとされて、該抵抗力点Ｂと支点Ｃの距離Ｓ１が抵抗力アームとされる、上記嵌合孔と、
押圧部であって、該レバーの施力点Ａとされ、該施力点Ａと該支点Ｃの距離Ｓ２が施力アームとされる、上記押圧部と、
を包含する上記支柱型支点を具えたレバーと、
を有し、そのうち、ガスライターの施力アームＳ２が抵抗力アームＳ１より小さく、ゆえに機械的倍率が１より小さく、すなわち施力Ｐが抵抗力Ｑより大きく、ゆえにレバーが省力でなく、操作に力を余計に費やすが、該レバーを押す力は一般の使用者が使える力の範囲内であり、その機械的倍率は０．３〜０．８であり、ゆえにライタの安全使用の機能を達成することを特徴とする、ガスライター。
【発明の詳細な説明】
【技術分野】
【０００１】
本発明一種のガスライターに係り、特にレバー式の安全ガスライターであって、施力アームが抵抗力アームより小さく機械的倍率が１より小さくされて、抵抗力より大きな施力を掛けねばライターを発火させられないため、幼児が悪戯でライターを発火させにくいが、一般の使用者にとっては施力可能な範囲内であり、その機械的倍率が０．３から０．８で、ライター使用の安全機能を達成した、ガスライターに関する。
【背景技術】
【０００２】
簡易式ガスライターは消費者に相当な便利性と低コストのメリットをもたらしたが、簡単に火をつけられるため、幼児の悪戯による火災ももたらし、安全上の問題を有している。
【０００３】
図１は周知の簡易型のレバー式ガスライターの立体分解図である。早期のガスライターの構造は、図１に示されるように、本体１、上蓋２、やすり車３、キャップ４、及びレバー５で構成されている。そのうち、本体１は中空体とされて、ガスライター点火燃料の液体ガスが充填され、その上端にシール部１１が固着され、このシール部１１に、周囲に歯１２１を具えたノズルシート１２及び頸部１４１を具えたノズル１４が設けられている。該上蓋２の中央には固定座２２が設けられ、その内部にバネ３４と発火石３３が収容され、且つその両側より二つの相互に対向するやすり車保持部２１が直立するように延伸され、該やすり車保持部２１の上端にそれぞれ固定孔２１１が設けられ、且つその下端にもそれぞれ固定孔２１２が設けられている。該上蓋２はまた調整リング２４を具え、その内表面内歯２４１が設けられ、それと対応する該ノズル１４のノズルシート１２上に嵌合されて、該ノズルシート１２の外表面の外歯１２１と噛み合い、本体１内のガスの放出量を調整するのに用いられる。該レバー５は押圧部５１、ベース５３、及び嵌合孔５５を有し、且つ該ベース５３の両側それぞれに凸部５３２が設けられ、レバー５の支点Ｃとされる（図１１参照）。凸部５３２はやすり車保持部２１の底部の固定孔２１２に嵌合され、この固定孔２１２は支点保持部とされて該凸部５３２を保持する。レバー５の抵抗力点Ｂ（図１１参照）とされる嵌合孔５５は、シール部１１上のノズル１４を通してその頸部１４１に嵌合される。レバー５の一端に設けられた押圧部５１はレバー５の施力点Ａとして用いられる（図１１参照）。やすり車３の凸軸３１はその後、やすり車保持部２１の対応する固定孔２１１に嵌め込まれ、さらにキャップ４が最外部に嵌合されて、現在、最も広く使用されている簡易型のレバー式ガスライターが形成される。
【０００４】
図１１はレバー式ガスライター中のレバーの作用表示図である。図１と図１１に示されるように、使用時には、使用者は親指でレバー５の押圧部５１を押して施力点Ａに施力Ｐを加える。支点Ｃを通して抵抗力点Ｂは反作用Ｑを発生し、ノズル１４に本体１内のガスを放出させる。使用者が親指でレバー５を押すと同時にやすり車３が回されて、やすり車３が発火石３３に対して摩擦することで火花が発生し、並びにノズル１４より放出された本体１のガスに点火し火炎が発生する。
【０００５】
さらに、図１１に示されるように、レバー５をＡＢで表示し、Ｃをその支点とし、Ａを施力Ｐの施力点、Ｂを抵抗力Ｑの抵抗力点とし、ＡＣは施力アームで且つその長さはＳ２と表示し、ＢＣは抵抗力アームで且つその長さはＳ１と表示すると、梃子の原理により、以下の関係が成り立つ。
抵抗力×抵抗力アーム＝施力×施力アーム
すなわち、
Ｑ×Ｓ１＝Ｐ×Ｓ２
機械的倍率＝Ｑ／Ｐ＝Ｓ２／Ｓ１
【発明の開示】
【発明が解決しようとする課題】
【０００６】
図２は図１の周知の簡易型レバー式ガスライターのＡ−Ａ断面図である。図２に示されるように、周知の簡易型レバー式ガスライターのＳ２はいずれもＳ１より大きく、ゆえに機械的倍率は１より大きく、すなわち、施力Ｐは抵抗力Ｑより小さく、レバーが力を入れずに楽に操作できる。レバーが楽に操作できて容易に点火できるため、一般の幼児が危機感無く悪戯して火災を引き起こすことがあり、これが周知の簡易型レバー式ガスライターの欠点であった。
【０００７】
上述の周知の技術の欠点に対し、本発明の主要な目的は、一種のガスライターを提供することにあり、それは、施力アームを抵抗力アームより小さくすることで機械的倍率を１より小さくし、施力アームを抵抗力アームより大きくしなければ点火できないようにし、幼児が容易には悪戯により点火できないようにし、しかし、一般の使用者の操作できる力の範囲内とし、その機械的倍率を０．３から０．８として、ガスライターの使用の安全機能を達成したものとする。
【０００８】
本発明の次の目的は、ガスライターのレバーに対して、各種の異なる支点構造設計を提供することにある。
【０００９】
本発明の第１の実施例において、レバーはフランジ型支点を具えるものとする。
【００１０】
本発明の第２の実施例において、レバーは隔壁型支点を具えている。
【００１１】
本発明の第３の実施例において、レバーは支柱型支点を具えている。
【００１２】
本発明の第４の実施例において、レバーは凸部型支点を具えている。
【課題を解決するための手段】
【００１３】
本発明のガスライターは、簡易型レバー式ガスライターであって、それは、本体、上蓋、やすり車、キャップ、及びレバーを有し、該本体は中空体でその内部に液体ガスが充填され、且つその上端にシール部を有し、該シール部に頸部を有するノズルが設けられ、該上蓋はそれに対応する該シール部の上方に嵌合され、該上蓋の中央に固定座が設けられて発火石が収容され、その両側より二つの直立するやすり車保持部が相互に対向するように延伸され、且つ該やすり車保持部の上端にそれぞれ固定孔が設けられ、該やすり車の円周に軸方向の歯が設けられ、使用者に回され、該キャップは該上蓋に嵌合され、該レバーはベース、嵌合孔、及び押圧部を有するほか、フランジ型支点、隔壁型支点、支柱型支点、凸点型支点等の支点の構造変化を有し得る。このガスライターはその施力アームＳ2 が抵抗力アームＳ1 より小さく、ゆえに機械的倍率が１より小さく、すなわち施力Ｐが抵抗力Ｑより大きく、ゆえにレバーが省力でないのみならず、力を余計に費やし、しかしレバーを操作するための力は一般の使用者が使える力の範囲内であり、その機械的倍率は０．３〜０．８であり、ゆえにライタの安全使用の効果を達成する。
【発明の効果】
【００１４】
本発明の簡易型レバー式ガスライターは、施力アームが抵抗力アームより小さいため機械的倍率が１より小さく、レバー操作に力を余計に費やすため、幼児が悪戯で点火しにくいようにし、安全使用の効果を達成している。
【発明を実施するための最良の形態】
【００１５】
図３は本発明の第１実施例のフランジ型支点を具えたガスライターの立体分解図である。図３に示されるように、本発明の第１実施例のガスライターは、本体１、上蓋２、やすり車３、キャップ４、及びレバー５を有している。そのうち、該本体１、やすり車３、及びキャップ４はいずれも図１に示される周知の簡易型レバー式ガスライターの構造と十分に類似しているため、説明は省略する。
【００１６】
該上蓋２はそれに対応する該本体１のシール部１１上方に嵌合され、且つ該上蓋２の中央に固定座２２が設けられ、該固定座２２の前方にフランジ２１４が設けられる。また、該上蓋２の両側より二つの直立するやすり車保持部２１が相互に対向するように延伸され、且つ該やすり車保持部２１の上端にそれぞれ固定孔２１１が設けられている。該レバー５は押圧部５１、ベース５３、及び嵌合孔５５を有している。レバー５の抵抗力点Ｂとして用いられる（図９参照）嵌合孔５５は、シール部１１に設けられたノズル１４を通過させてノズル１４の頸部１４１に嵌合する。ベース５３は直接フランジ２１４の上に置かれて該フランジ２１４がレバー５の支点Ｃとされる（図９参照）。レバー５の一端に設けられた押圧部５１はレバー５の施力点Ａ（図９参照）として用いられる。
【００１７】
図５は本発明の第２実施例の隔壁型支点を具えたガスライターの立体分解図である。図５に示されるように、本発明の第２実施例のガスライターは、本体１、上蓋２、やすり車３、キャップ４、及びレバー５を有している。そのうち、該本体１、やすり車３、及びキャップ４はいずれも図３に示される本発明の第１実施例のフランジ型支点を有するガスライターの構造と十分に類似しているため、説明は省略する。
【００１８】
該上蓋２の両側より二つの直立するやすり車保持部２１が相互に対向するように延伸され、且つ該やすり車保持部２１の上端にそれぞれ固定孔２１１が設けられている。該上蓋２はそれに対応する該本体１のシール部１１上方に嵌合され、且つ該上蓋２の中央に固定座２２が設けられ、該固定座２２の前方両側それぞれに隔壁２１６が設けられて該隔壁２１６はそれぞれやすり車保持部２１と固定座２２の間に接続される。また、該レバー５は押圧部５１、ベース５３、及び嵌合孔５５を有している。レバー５の抵抗力点Ｂとして用いられる（図９参照）嵌合孔５５は、シール部１１に設けられたノズル１４を通過させてノズル１４の頸部１４１に嵌合する。ベース５３は直接隔壁２１６の上に置かれて該隔壁２１６がレバー５の支点Ｃとされる（図９参照）。レバー５の一端に設けられた押圧部５１はレバー５の施力点Ａ（図９参照）として用いられる。
【００１９】
図９はレバー式ガスライターのレバーの作用表示図である。図５と図９に示されるように、本発明の第２実施例の隔壁型支点を具えたガスライターの使用方法と点火により火炎を発生する原理は前述の第１実施例のフランジ型支点を有するものと同じであるため、説明は省略する。
【００２０】
図７は本願発明の第３実施例の支柱型支点を有するレバー式ガスライターの立体分解図である。本発明の第３実施例のガスライターは、本体１、上蓋２、やすり車３、キャップ４、及びレバー５を有している。そのうち、該本体１、やすり車３、及びキャップ４はいずれも図５に示される本発明の第２実施例の隔壁型支点を具えたガスライターの構造と十分に類似しているため、説明は省略する。
【００２１】
該上蓋２の両側より二つの直立するやすり車保持部２１が相互に対向するように延伸され、且つ該やすり車保持部２１の上端にそれぞれ固定孔２１１が設けられている。該上蓋２はそれに対応する該本体１のシール部１１上方に嵌合され、且つ上蓋２の中央に固定座２２が設けられ、該上蓋２の固定座２２の両側に凹孔が設けられ、該凹孔はそれぞれ二つのやすり車保持部２１と固定座２２の間に位置する。また、該レバー５は押圧部５１、ベース５３、嵌合孔５５、及び二つの支柱５７を有する。レバー５の抵抗力点Ｂとして用いられる（図９参照）嵌合孔５５は、シール部１１に設けられたノズル１４を通過させてノズル１４の頸部１４１に嵌合する。二つの支柱５７は押圧部５１の底面両側に設置され並びに凹孔に対応可能で、支柱５７の底部が凹孔内に嵌入して梃子の支点Ｃとされる（図９参照）。レバー５の一端に設けられた押圧部５１はレバー５の施力点Ａ（図９参照）として用いられる。
【００２２】
図９はレバー式ガスライターのレバーの作用表示図である。図５と図９に示されるように、本発明の第３実施例の隔壁型支点を具えたガスライターの使用方法と点火により火炎を発生する原理は前述の第１実施例のフランジ型支点を有するものと同じであるため、説明は省略する。
【００２３】
さらに、図９に示されるように、レバー５をＡＢで表示し、Ｃをその支点とし、Ａを施力Ｐの施力点、Ｂを抵抗力Ｑの抵抗力点とし、ＡＣは施力アームで且つその長さはＳ２と表示し、ＢＣは抵抗力アームで且つその長さはＳ１と表示すると、梃子の原理により、以下の関係が成り立つ。
抵抗力×抵抗力アーム＝施力×施力アーム
すなわち、
Ｑ×Ｓ１＝Ｐ×Ｓ２
機械的倍率＝Ｑ／Ｐ＝Ｓ２／Ｓ１
【００２４】
以上をまとめると、図９の簡易型レバー式ガスライターのレバー作用表示図、図４は図３の本発明の第１実施例のフランジ型支点を具えたガスライターのＢ−Ｂ断面図、図６は図５の本発明の第２実施例の隔壁型支点を具えたガスライターのＣ−Ｃ断面図、図８は図７の本発明の第３実施例の支柱型支点を具えたガスライターのＤ−Ｄ断面図に示されるように、本発明の第１−３実施例のガスライターのＳ２はいずれもＳ１より小さく、ゆえに機械的倍率は１より小さく、すなわち、施力Ｐは抵抗力Ｑより大きく、ゆえにレバーを楽に操作することはできず、力を費やす。しかし、そのために幼児が悪戯でガスライターを点火して火災を引き起こすのを防止できる。ただしガスライターを点火するのに必要な力は一般の使用者の施力可能な範囲であり、その機械的倍率は０．３から０．８であり、ゆえにガスライターの安全使用の効果を達成できる。
【図面の簡単な説明】
【００２５】
【図１】周知の簡易型のレバー式ガスライターの立体分解図である。
【図２】図１の周知の簡易型レバー式ガスライターのＡ−Ａ断面図である。
【図３】本発明の第１実施例のフランジ型支点を具えたガスライターの立体分解図である。
【図４】図３のＢ−Ｂ断面図である。
【図５】本発明の第２実施例の隔壁型支点を具えたガスライターの立体分解図である。
【図６】図５のＣ−Ｃ断面図である。
【図７】本発明の第３実施例の支柱型支点を具えたガスライターの立体分解図である。
【図８】図７のＤ−Ｄ断面図である。
【図９】レバー式ガスライター中のレバーの作用表示図である。
【符号の説明】
【００２６】
１  本体                          １１  シール部
１２  ノズルシート                １２１  歯
１４  ノズル                      １４１  頸部
２  上蓋                          ２１  やすり車保持部
２１１  固定孔                    ２１２  固定孔
２１４  フランジ                  ２１６  隔壁
２２  固定座                      ２４  調整リング
２４１  歯                        ３  やすり車
３１  凸軸                        ３３  発火石
３４  バネ                        ３０２  やすり車
４  キャップ                      ５  レバー
５１  押圧部                      ５３  ベース
５３２  凸部                      ５５  嵌合孔
５７  支柱
【図１】
0004999785.tif 000002
【図２】
0004999785.tif 000003
【図３】
0004999785.tif 000004
【図４】
0004999785.tif 000005
【図５】
0004999785.tif 000006
【図６】
0004999785.tif 000007
【図７】
0004999785.tif 000008
【図８】
0004999785.tif 000009
【図９】
0004999785.tif 000010